(57)【要約】【課題】内蔵ＬＳＩ破壊防止のための静電気対策を施すために、ボタン型電池の電極と押しボタン等との間を導通させるに際して、導通部材を別途不要として、携帯式の電波修正時計の開発コストを低減可能な携帯式の電波修正時計を提供すること。【解決手段】環状中枠が金属等の導電性素材で形成されると共に、この環状中枠には、電池押え金具と接触する第１の接触片と、押しボタン部材側の導電部と接触する第２の接触片とが一体に形成されており、それにより、電池の極に通ずる電池押え金具と押しボタン部材側の導電部とが環状中枠を介して電気的に導通する。【選択図】図３
2006215043.tif 000002
【特許請求の範囲】
【請求項１】
表側開口は透明窓板により塞がれかつ裏側開口は非導電性裏蓋により塞がれ、更に周側壁には押しボタン部材が貫通固定された時計ケースと、
前記時計ケース内に収容され、周側面には前記押しボタン部材にてオンオフ操作される接点部が設けられると共に、裏面にはボタン型電池と、このボタン型電池を保持する電池押え金具とが設けられている電波修正時計用のムーブメントと、
前記時計ケース内にあって、前記時計ケースの周側壁の内周面と前記ムーブメントの外周面との間に介在され、前記時計ケースに対して前記ムーブメントを位置決めする環状中枠とを有し、
前記環状中枠が金属等の導電性素材で形成されると共に、この環状中枠には、前記電池押え金具と接触する第１の接触片と、押しボタン部材側の導電部と接触する第２の接触片とが一体に形成されており、
それにより、電池の電極に通ずる電池押え金具と押しボタン部材側の導電部とが環状中枠を介して電気的に導通することを特徴とする携帯式電波修正時計。
【請求項２】
前記時計ケースが金属製ケースであり、前記押しボタン部材側の導電部がケースの一部であることを特徴とする請求項１に記載の携帯式電波修正時計。
【請求項３】
前記時計ケースが金属外被ケースであり、前記押しボタン部材側の導電部がケース周側壁の内周面に固定されかつ前記押しボタン部材に通ずる金属板であることを特徴とする請求項１に記載の携帯式電波修正時計。
【発明の詳細な説明】
【技術分野】
【０００１】
この発明は、内蔵ＬＳＩ破壊防止のための静電気対策が施された携帯式の電波修正時計に関する。
【背景技術】
【０００２】
ＣＭＯＳ製ＬＳＩ（例えば、ＣＰＵ等）を内蔵するムーブメントを採用する電子時計（クォーツ時計と電波修正式時計との双方を含む）は、内蔵ＬＳＩ破壊防止のための静電気対策が施される。
【０００３】
内蔵ＬＳＩの破壊は、指先等の帯電電荷が、指先→操作ボタン→回路基板→内蔵ＬＳＩと言った放電経路を伝って流れることにより生ずるのが通例である。そのため、静電気対策としては、内蔵ＬＳＩを迂回するように、指先→押しボタン→ケースの金属部→電池の正極と言った迂回放電経路を形成して、指先等の帯電電荷を積極的に電池へ流すことにより、内蔵ＬＳＩへの衝撃を緩和するのが通例である（特許文献１参照）。
【０００４】
このような静電気対策が施された従来のデジタル式クォーツ時計の一例の断面図が図１７に示されている。図において、３はデジタル式クォーツ時計、４０はムーブメント、４１はボタン型電池、４２は電池押え金具、４２ａは切り起し片、４２ｂは折曲片、４２ｃは係合孔、４３はＣＰＵ等の各種電子部品が搭載される回路基板、４５は樹脂製の第１ホルダ、４５ａは係合孔と嵌合する係止突部、４６はボタン型電池を保持する第２ホルダ、４７は第１ホルダに保持される液晶表示デバイス、４８は電池と回路基板との導通をとるための導通部材、５０Ｂは金属製である時計ケース（以下、単に「ケース」と言う）、６０Ｂは樹脂製の環状中枠（以下、単に「中枠」と言う）、３２０はケースの表側開口を塞ぐ透明窓板である窓ガラス、３２１は防水用のシール部材であるパッキング、３３０はケースの裏側開口を塞ぐ金属製の裏蓋、Ａ２は切り起し片と裏蓋との接触部である。また、３３１も防水用のパッキングである。
【０００５】
このように、デジタル式クォーツ時計の場合には、ボタン型電池４１の押さえ金具４２にバネ性を有する切り起し片４２ａを形成すると共に、この切り起し片４２ａを金属製裏蓋３３０の裏面に圧接させることにより、指先→押しボタン５１Ｂ（図１６（ｃ）参照）→ケース５０Ｂの周側壁→ケースの裏蓋３３０→接触部Ａ２→切り起し片４２ａ→電池の押え金具４２→電池４１の極と言った迂回放電経路が形成されて、回路基板４３側へ向かう電流が減少し、回路基板４３に搭載されるＬＳＩへの放電による衝撃が緩和される。
【０００６】
一方、携帯式の電波修正時計（例えば、電波修正腕時計、電波修正懐中時計等）の場合には、電波透過性を上げるために、裏蓋を非導電性素材（例えば、ガラス、セラミック、樹脂等）で形成することが多いので、上述したデジタル式クォーツ時計のような裏蓋と切り起し片とを介する迂回放電経路を形成することはできない。
【０００７】
静電気対策が施された針式電波修正時計の一例（従来品１）の構造が図１８〜図２３に、また他の一例（従来品２）の構造が図２４〜図２７に示されている。
【０００８】
先ず、従来品１の構造について説明する。図１８〜図２３において、４は針式電波修正時計、４１０は金属製の環状ケース、４１１ａ，４１１ｂは時計バンド固定用の一対の上部ブラケット、４１２ａ，４１２ｂは時計バンド固定用の一対の下部ブラケット、４１３はケースの周側壁に貫通固定された押しボタン部材、４１３ａは押しボタン，４１３ｂは押しボタンに内装一体化されたボタン軸、４１３ｃは圧縮スプリング、４１３ｄはワッシャ、４１３ｅはＥリング、４１３ｆは防水パッキング、４２０は樹脂製中枠、４２１は環状外壁部、４２２は環状内壁部、４２３は環状底板部、４２４は位置決め突部、４２５ａ〜４２５ｃは内周突片、４２６ａ〜４２６ｃは上端突部、４２７は鍔部、４２９ａ，４２９ｂは押しボタン部材挿通用開口、４２９ｃは導通部材挿通用開口、４２８は位置決め用凹部、４３０は電波修正時計用のムーブメント、４３１は棒状アンテナ、４３２はボタン型電池、４３３は電池押え金具、４３３ａは環状固定領域、４３３ｂは短冊状可動領域、４３３ｃは短冊状可動領域のヒンジ部、４３３ｄはバネ性舌片、４３３ｅは短冊状可動領域の先端折曲部、４３４は位置決め突部、４３５は接点部（図１６の符号４３と同様）、４３５ａは固定接触片、４３５ｂは可動接触片、４３６はＣＰＵ等の各種電子部品が搭載された回路基板、４３７は樹脂製の第１ホルダ、４３８はボタン型電池４３２を保持する第２ホルダ、４４０は導通部材、４４０ａは第１水平部、４４０ｂは垂直連結部、４４０ｃは第２水平部、４４０ｄはバネ性傾斜部、４５０は裏蓋、４５１は裏蓋ガラス、４５２は金属製の環状裏蓋枠、４５３は防水パッキング、４５４は防水パッキング、４６０は表窓、４６１は窓ガラス、４６２は防水パッキング、４７０は文字盤、４８０は針セット、Ａ３は導通部材４４０のバネ性傾斜部４４０ｄの先端部と金属製環状ケース４１０の周側壁部内周面との接触部である。
【０００９】
このように、この従来例（図１８〜図２３）にあっては、樹脂製の環状中枠４２０に半径方向へ通ずる開口４２９ｃを設けると共に、その開口４２９ｃ内に、ボタン型電池４３２の押え金具４３３と金属製環状ケース４１０とを導通させる導通部材４４０を配置することにより、指先→操作ボタン４１３ａ→ケース４１０の周側壁部→接触部Ａ３→導通部材４４０→電池の押え金具４３３→電池の極の順に通ずる迂回放電経路が形成されて、回路基板４３側へ向かう電流が減少し、回路基板４３に搭載されるＬＳＩへの放電による衝撃が緩和される。
【００１０】
次に、従来品２の構造について説明する。図２４〜図２７において、５は針式電波修正腕時計、５１０は金属外被の環状ケース、５１１は被導電性（例えば、樹脂、セラミック、ガラス等）のケース芯体、５１２は金属製のケース外被、５１３ａ，５１３ｂは時計バンド固定用の一対の上部ブラケット、５１４ａ，５１４ｂは時計バンド固定用の一対の下部ブラケット、５２０は押しボタン部材、５２０ａは押しボタン、５２０ｂはボタン軸部、５２０ｃは圧縮スプリング、５２０ｄはワッシャ、５２０ｅはＥリング、５２０ｆは防水パッキング、５３０は導通部材、５３１は半径方向導通部、５３１ａは垂直部、５３１ｂは水平部、５３１ｃはバネ性傾斜部、５３２弧状導電板部、５３３はパッキング、５５０は裏蓋、５５１は裏蓋芯体、５５２は裏蓋外被、Ａ４は導通部材のバネ性傾斜部５３１ｃの先端と電池押え金具４３３との接触部であり、その他、図１８〜図２３の例と同一構成部分については同符号を付している。
【００１１】
このように、この従来例（図２４〜図２７）にあっては、半径方向導通部５３１と弧状導電板部５３２とを一体に有する導通部材５３０を設けると共に、樹脂製の中枠４２０に半径方向へ通ずる開口４２９ｃを設け、この開口４２９ｃに半径方向導通部５３１を、又弧状導電板部５３２をケース周側壁内周面に沿わせて、押しボタン５２０ａの軸部５２０ｂに導通させることにより、指先→操作ボタン５２０ａ→ボタン軸部５２０ｂ→弧状導電板部５３２→半径方向導通部５３１→接触部Ａ４→電池の押さえ金具４３３→電池の極の順に通ずる迂回放電経路を形成するようにしている。
【００１２】
ここで、ムーブメントと環状ケースの周側壁との間に介在される環状中枠の役割について説明する。ケースと中枠とムーブメントとの関係を示す説明図（針式クウォーツ腕時計の場合）が図１５に、同説明図（デジタル式クウォーツ腕時計の場合）が図１６に示されている。
【００１３】
なお、図１５において、１０はムーブメント、１１はムーブメント本体、１２はボタン型電池、１３は竜頭軸、１４は竜頭摘み、２０Ａは第１の形状を有する環状ケース、２０Ｂは第２の形状を有する環状ケース、３０Ａは第１の形状を有する環状中枠，３０Ｂは第２の形状を有する環状中枠である。また、図１６において、４０はムーブメント、４１はボタン型電池、４２は電池押え金具、４２ａは切り起し片、４３はムーブメントの外周面に配置された接点部、４３ａは接点部を構成する固定接触片、４３ｂは接点部を構成する可動接触片、４４は係止片、５０Ａは第１の形状を有する環状ケース、５０Ｂは第２の形状を有する環状ケース、５１Ａ，５１Ｂは押しボタン、６０Ａは第１の形状を有する環状中枠、６０Ｂは第２の形状を有する環状中枠である。
【００１４】
それらの図から明らかなように、中枠の主たる役割は、ムーブメント（１０又は４０）と環状ケース（２０Ａ，２０Ｂ又は５０Ａ，５０Ｂ）との間にあって、ケースに対してムーブメントを正確に位置決めすることにある。そのため、同一のムーブメント（１０又は４０）であっても（図１５（ａ），図１６（ａ）参照）、中枠の形状乃至構造さえ変更すれば、様々な形状を有するケース（２０Ａ，２０Ｂ又は５０Ａ，５０Ｂ）への適用が可能となり、多品種の腕時計を少品種のムーブメントで実現可能となる（図１５（ｂ），（ｃ）及び図１６（ｂ），（ｃ）参照）。
【００１５】
中枠（３０Ａ，３０Ｂ又は６０Ａ，６０Ｂ）の材質としては、針式クウォーツ時計並びにデジタル式クウォーツ時計のいずれにあっても、様々なケース形状への成形容易性や軽量性等を考慮して樹脂（合成樹脂）が採用される。この中枠は、針式クウォーツ時計やデジタル式クウォーツ時計のみならず、同様な理由から、針式電波修正時計やデジタル式電波修正時計にも採用され、多品種の電波修正腕時計を少品種のムーブメントで実現するのに役立てられている。
【特許文献１】特開２００１−０９９９６０号公報
【発明の開示】
【発明が解決しようとする課題】
【００１６】
しかしながら、上述した内蔵ＬＳＩ破壊防止のための静電気対策が施された携帯式の電波修正時計にあっては、ボタン型電池の電極と操作ボタン等との間を導通させるために、導通部材（別部品）を別途必要とすることに加えて、この導通部材の形状は中枠の形状とも一定の相関を有するため、同一のムーブメントを別のケースに収容して新たな腕時計製品を開発する場合には、中枠のみならず、導通部材についても、その都度製作し直さねばならない。そのため、設計工数並びに組立工数の増加により、携帯式の電波修正時計の開発コストを引き上げる原因となると言う問題点がある。
【００１７】
この発明は、上述の問題点に着目してなされたものであり、その目的とするところは、内蔵ＬＳＩ破壊防止のための静電気対策を施すために、ボタン型電池の電極と押しボタン等との間を導通させるに際して、導通部材を別途不要として、携帯式の電波修正時計の開発コストを低減可能な携帯式の電波修正時計を提供することにある。
【００１８】
この発明のさらに他の目的並びに作用効果については、明細書の以下の記述を参照することにより、当業者であれば容易に理解されるであろう。
【課題を解決するための手段】
【００１９】
上記の技術課題を解決するために、本発明に係る携帯式の電波修正時計は、次のような構成を採用するものである。
【００２０】
すなわち、本発明に係る携帯式の電波修正時計は、表側開口は透明窓板により塞がれかつ裏側開口は非導電性裏蓋により塞がれ、更に周側壁には押しボタン部材が貫通固定された時計ケースと、前記時計ケース内に収容され、周側面には前記押しボタン部材にてオンオフ操作される接点部が設けられると共に、裏面にはボタン型電池と、このボタン型電池を保持する電池押え金具とが設けられている電波修正時計用のムーブメントと、前記時計ケース内にあって、前記時計ケースの周側壁の内周面と前記ムーブメントの外周面との間に介在され、前記時計ケースに対して前記ムーブメントを位置決めする環状中枠とを有している。
【００２１】
加えて、前記環状中枠が金属等の導電性素材で形成されると共に、この環状中枠には、前記電池押え金具と接触する第１の接触片と、押しボタン部材側の導電部と接触する第２の接触片とが一体に形成されており、それにより、電池の電極に通ずる電池押え金具と押しボタン部材側の導電部とが環状中枠を介して電気的に導通するように構成される。
【００２２】
ここで、時計ケースが金属製ケースの場合には、前記押しボタン部材側の導電部とはケースそれ自体の一部に相当する。また、時計ケースが金属外被ケースの場合には、前記押しボタン部材側の導電部とは、ケース周側壁の内周面に固定されかつ前記押しボタン部材に通ずる金属板（従前からケース側に存在する）に相当する。
【００２３】
このような構成によれば、環状中枠が金属等の導電性素材で形成されると共に、この環状中枠には、電池押え金具と接触する第１の接触片と、押しボタン部材側の導電部と接触する第２の接触片とが一体に形成されているため、押しボタンと電池の電極との間には環状中枠を経由する迂回放電経路が形成されて、回路基板側へ向かう電流が減少し、回路基板に搭載されるＬＳＩへの放電による衝撃が緩和されることに加えて、同一のムーブメントを別のケースに収容して新たな腕時計製品を開発する場合であっても、その都度に製作し直すものは中枠のみで済むため、設計工数並びに組立工数の減少により、携帯式の電波修正時計の開発コストを低下させることができる。
【発明の効果】
【００２４】
本発明によれば、内蔵ＬＳＩ破壊防止のための静電気対策を施すために、ボタン型電池の電極と押しボタン等との間を導通させるに際して、導通部材を別途不要として、携帯式の電波修正時計の開発コストを低減させることができる。
【発明を実施するための最良の形態】
【００２５】
以下に、この発明の好適な実施の一形態（第１実施例、第２実施例）を添付図面を参照しながら詳細に説明する。なお、以下の図面においては、視認性の低下を回避するために、特に必要な場合を除き、断面ハッチング表示は省略していることに留意されたい。
【００２６】
本発明に係る電波修正腕時計の第１実施例が図１〜図１１に示されている。図１に示されるように、この電波修正腕時計１は、ケース１１０と、中枠１２０と、ムーブメント１３０と、裏蓋１４０と、表窓１５０とを有している。
【００２７】
ケース１１０は円環状をなしており、その中心を挟んで対向する位置には、それぞれ時計バンドを固定するための上部ブラケット対１１１ａ，１１１ｂ及び下部ブラケット対１１２ａ，１１２ｂが突設されている。
【００２８】
ケース１１０の表側開口を形成する表窓１５０は、図２〜図４に示されるように、防水パッキング１５２を介して透明窓板である窓ガラス１５１により塞がれている。この表窓１５０の内部には、周知のように、非導電性素材からなる文字盤１６０及び秒針、分針、時針等からなる針セット１７０が配置されている。ケース１１０の素材としては、例えばステンレス、チタン、チタン合金、銅合金、亜鉛合金、等々の金属が採用されている。
【００２９】
また、ケース１１０の裏側開口は、図２〜図４に示されるように、防水パッキング１４４を介して裏蓋１４０により塞がれている。裏蓋１４０は、裏蓋１４０の外周縁部を形成する環状裏蓋枠１４１と、環状裏蓋枠１４１にて取り囲まれる円形開口を防水パッキング１４３を介して塞ぐ裏蓋ガラス１４２とを含んでいる。環状裏蓋枠１４１の素材としては、例えばステンレス、チタン、チタン合金、銅合金、亜鉛合金、等々の金属が採用されている。
【００３０】
ケース１１０の周側壁には、図５に示されるように、押しボタン部材１１３が２箇所に亘って貫通固定されている。押しボタン部材１１３は、図２に示されるように、押しボタン１１３ａと、押しボタンと一体に出没するボタン軸部１１３ｂと、ボタン軸部の突出動作を規制するＥリング１１３ｃと、ボタン軸部の外周に嵌められた防水パッキング１１３ｅと、ワッシャ１１３ｆを介して押しボタン１１３ａに対して突出方向の復帰力を付与する圧縮スプリング１１３ｄとを有する。なお、図５において、１１４は後述する中枠１２０を位置決めするための位置決め凹部である。
【００３１】
ケース１１０内には、円盤状のムーブメント１３０が収容される。ムーブメント１３０は、ケース１１０内にあって、中枠１２０によりケース１１０のほぼ中央に位置決めされる。中枠１２０の材質としては、例えばステンレス、鉄系合金、銅合金、アルミ合金等々の金属が採用され、これにより導電性が付与されている。
【００３２】
中枠１２０は、図６〜図８に示されるように、３箇所において外方膨出部１２３ａ，１２３ｂ，１２３ｃを有して異形環状をなす環状（垂直）壁部１２１と、ケース内周に整合する外周縁輪郭を有する鍔部１２２とを有する。
【００３３】
より詳しくは、環状壁部１２１は、ムーブメント１３０の外周に整合する小半径の円弧部と、外方膨出部１２３ａ，１２３ｂ，１２３ｃに対応する大半径の円弧部とを有する。外方膨出部１２３ａ，１２３ｂ，１２３ｃに対応する大半径の円弧部のそれぞれの中央上部には、上端突部１２４ａ，１２４ｂ，１２４ｃが形成されている。それらの上端突部１２４ａ，１２４ｂ，１２４ｃの真下に位置する環状壁部１２１には、図７及び図８に示されるように、中抜き孔１２５ａ，１２５ｂ，１２５ｃが形成されている。これらの中抜き孔１２５ａ，１２５ｂ，１２５ｃによって、上端突部１２４ａ，１２４ｂ，１２４ｃには上下方向への弾性が付与されている。
【００３４】
これらの上端突部１２４ａ，１２４ｂ，１２４ｃは、裏蓋１４０を構成する金属製の環状裏蓋枠１４１に当接して、裏蓋１４０の押圧力を弾性的に受容する（図４参照）。すなわち、図４に示されるように、環状壁部１２１の外方膨出部１２３ｃにあっては、下端部については、文字盤１６０を介してケース１１０の環状段部１１５により支持されると共に、上端部については、上端突部を介して環状裏蓋枠１４１の内周縁部１４１ａにより支持される。このとき、環状壁部１２１の上端突部は、強度に欠ける裏蓋ガラス１４２ではなくて、十分な強度を有する金属製の環状裏蓋枠１４１で支持されるから、中枠１２０の全体は、円周上の３箇所において、しっかりと上下から狭持され、ケース１１０に対する位置決め状態が維持される。
【００３５】
環状壁部１２１の小半径部の３箇所には、中心方向へと水平に突出する突片部１２１ａ，１２１ｂ，１２１ｃが形成されている。図３に示されるように、これらの突片部１２１ａ，１２１ｂ，１２１ｃが、ムーブメント１３０の上部に位置する電池押え金具１３４の外周縁上面に接触して、両者間の電気的導通が確保される。
【００３６】
環状壁部１２１には、押しボタン部材１１３の装着位置に対応して、図６（ｂ）に示されるように、２カ所に亘って、開口１２６ａ，１２６ｂが形成されている。後述するように、これらの開口１２６ａ，１２６ｂには、押しボタン部材１１３のボタン軸部１１３ｂが挿通される。
【００３７】
突片部１２１ｂに連続する環状壁部１２１の下端部には、図８に示されるように、バネ性接触片１２１ｅが突出して一体に形成されている。このバネ性接触片１２１ｅが、図３に示されるように、接触部Ａ１において、ケース１１０の周側壁の内周面に接触することで、金属製中枠１２０と金属製ケース１１０との導通が確保される。
【００３８】
なお、符号１２２ａはケース１１０との周方向の位置決めを行うための位置決め突部、符号１２１ｄはムーブメント１３０との周方向の位置決めを行うための位置決め凹部である。
【００３９】
中枠１２０の環状壁部１２１の小半径の円弧部分で囲まれる円形空所には、円盤状の針式電波修正時計用のムーブメント１３０が、その外周面を環状壁部１２１の内周面にほぼ密着させた状態で装着される。
【００４０】
ムーブメント１３０は、図９及び図１０に示されるように、モータユニットや棒状アンテナ１３６等を保持する樹脂製の第１ホルダ１３１と、ボタン型電池１３５等を保持する樹脂製の第２ホルダ１３２と、ＣＰＵ等の電子部品を搭載した回路基板１３３と、第２ホルダに保持されたボタン型電池を押さえ付ける電池押え金具１３４とを含んでいる。ここで、モータユニットには、モータと、モータの出力軸に連続するギア列と、ギア列を介して結合される秒針軸１３７ａ，分針軸１３７ｂ，時針軸１３７ｃとが含まれている。
【００４１】
より詳しくは、第１ホルダ１３１と第２ホルダ１３２との間に回路基板１３３を介在させた重ね合せ状態において、第２ホルダ１３２の底板１３２ａの上に電池押え金具１３４を重ね、電池押え金具１３４の周縁複数箇所に設けた折曲片１３４ａの先端係止孔１３４ｂを第１ホルダ１３１側の係止突部１３２ｄに係止することで、ムーブメント１３０が構成される。
【００４２】
なお、図９において、１３１ｂは第１ホルダの底板１３１ａに開設されたモータユニット露出窓、１３１ｃは第１ホルダの底板１３１ａに開設された棒状アンテナ露出窓、１３１ｄは中枠１２０との位置決めを行うための位置決め突部、１３８はモータユニットの押え板、１３６は棒状アンテナである。そして、１３８ａはモータユニットの位置決め部として機能する。
【００４３】
ムーブメント１３０の外周面には、図１０に示されるように、第１の接点部１３２ｂ及び第２の接点部１３２ｃが設けられている。第１の接点部１３２ｂは、固定接触片１３２ｂ−１と可動接触片１３２ｂ−２とで構成されている。同様にして、第２の接点部１３２ｃは、固定接触片１３２ｃ−１と可動接触片１３２ｃ−２とで構成されている。ここで、固定接触片１３２ｂ−１，１３２ｃ−１は、図２に示されるように、回路基板１３３の端縁に導電体を被着することで形成されている。第１の接点部１３２ｂ及び第２の接点部１３２ｃは、図２に示されるように、押しボタン部材１１３のボタン軸部１１３ｂの先端部にてオンオフ操作される。
【００４４】
電池押え金具１３４は、図１０に示されるように、ボタン型電池１３５とほぼ同径の円形開口１３４ｆを有する環状固定領域１３４ｃと、環状固定領域１３４ｃの円形開口１３４ｆに架け渡される短冊状可動領域１３４ｄとを一体的に有する。
【００４５】
短冊状可動領域１３４ｄにはバネ性舌片１３４ｅが一体的に形成されており、このバネ性舌片１３４ｅは、ボタン型電池１３５の電極を押圧する方向へと付勢力が付与されている。短冊状可動領域１３４ｄはそのヒンジ部１３４ｇを支点として起倒動作すると共に、その折曲片１３４ｈの先端係止孔（図示せず）を所定係止突部（図示せず）に係合させることにより、倒状態（ボタン型電池を押さえ付けた状態）で固定可能とされている。
【００４６】
したがって、ボタン型電池の交換に際しては、折曲片１３４ｈの係合を解いて、短冊状可動領域１３４を引き起こし、古いボタン型電池１３５を円形開口１３４ｆから抜き取り、しかるのち、新たなボタン型電池１３５を円形開口１３４ｆに装着して、再び、短冊状可動領域１３４ｄを倒状態で固定すれば、バネ性舌片１３４ｅがボタン型電池１３５の電極面に所定の付勢力で押し当てられることにより、ボタン型電池１３５の電極と電池押え金具１３４との導通が確保される。
【００４７】
電池押え金具１３４の環状固定領域１３４ｃの外周縁部の複数箇所には、第１ホルダ１３１の側へと折り曲げられた折曲片１３４ａが設けられている。これらの折曲片１３４ａの先端部係止孔は第１ホルダ１３１の周側面に突出形成した係止突部１３２ｄと係合可能になされている。
【００４８】
したがって、先に説明したように、第１ホルダ１３１と第２ホルダ１３２とで回路基板１３３を挟み付けた状態において、電池押え金具１３４を第２ホルダ１３２の底板１３２ａに当接させ、しかるのち、折曲片１３４ａの先端係止孔を係止突部１３２ｄに係合させれば、第１ホルダ１３１と回路基板１３３と第２ホルダ１３２との積層体は、一体的に結合されて、針式電波修正時計のムーブメント１３０が完成する。
【００４９】
回路基板１３３には、図１１に示されるように、第１及び第２のＣＭＯＳドライバ１３３ａ−１，１３３ａ−２とを含むＣＰＵ１３３ａと、周波数切換スイッチ１３３ｂ−１を含む受信&デコードＩＣ１３３ｂと、アンテナ回路１３３ｃと、フィルタ用水晶１３３ｄと、ＣＰＵクロック用水晶１３３ｅと、モータユニットを構成するモータ１３８ｂと、第１及び第２の接点部１３２ｂ，１３２ｃとが搭載されている。
【００５０】
そして、本発明にあっては、後述するように、指先１８０に帯電した静電電荷は、主として、図中点線で示される押しボタン１１３及び中枠１２０を経由する迂回放電経路１８１を流れるため、第１及び第２の接点部１３２ｂ，１３２ｃを経由して内蔵ＬＳＩ（ＣＰＵ１３３ａや受信&デコード回路ＩＣ１３３ｂ等）に向かう放電経路１８１ｂやその他の経路１８１ａを流れる電流が減少して、回路基板に搭載されるＬＳＩ（ＣＰＵ１３３ａや受信&デコード回路ＩＣ１３３ｂ等）への放電による衝撃が緩和され、その破壊が防止される。
【００５１】
以上説明したように、この第１実施例の針式電波修正腕時計１は、表側開口（表窓１５０）は透明窓板（窓ガラス１５１）により塞がれかつ裏側開口は非導電性裏蓋（裏蓋ガラス１４２）により塞がれ、更に周側壁には押しボタン部材（押しボタン部材１１３）が貫通固定された時計ケース（金属製の時計ケース１１０）と、時計ケース内に収容され、周側面には押しボタン部材にてオンオフ操作される接点部（接点部１３２ｂ，１３２ｃ）が設けられると共に、裏面にはボタン型電池（ボタン型電池１３５）と、このボタン型電池を保持する電池押え金具（電池押え金具１３４）とが設けられている電波修正時計用のムーブメント（ムーブメント１３０）と、時計ケース内にあって、時計ケースの周側壁の内周面と前記ムーブメントの外周面との間に介在され、前記時計ケースに対して前記ムーブメントを位置決めする環状中枠（環状中枠１２０）とを有するものである。
【００５２】
加えて、この環状中枠（環状中枠１２０）は金属等の導電性素材で形成されると共に、この環状中枠には、前記電池押え金具と接触する第１の接触片（内周突片１２１ａ，１２１ｂ，１２１ｃ）と、押しボタン部材側の導電部と接触する第２の接触片（バネ性接触片１２１ｅ）とが一体に形成されている。
【００５３】
このような構成によれば、電池（ボタン型電池１３５）の電極に通ずる電池押え金具（１３４）と押しボタン部材側の導電部（ケース１１０の周側壁の内周面）とが環状中枠（１２０）を介して電気的に導通することとなる。
【００５４】
その結果、押しボタン１１３ａとボタン型電池１３５の電極との間には、押しボタン１１３ａ→金属製の環状ケース１１０→接触部Ａ１→バネ性接触片１２１ｅ→環状壁部１２１→内周突片部１２１ａ〜１２１ｃ→電池押え金具１３４→バネ性舌片１３４ｅ→電池の電極を順に経由する迂回放電経路１８１が形成される。なお、環状壁部１２１と金属製環状ケース１１０との導通は、その他、様々な部位（例えば、金属製中枠の鍔部１２２とケース周側壁の内周面との接触等）においても行われる。
【００５５】
したがって、静電気に帯電した指１８０によって押しボタン１１３ａに触れたとしても、指１８０の帯電電荷は、主として、上記の迂回経路１８１を通ってボタン型電池１３５へと流れるから、押しボタン１１３ａ→ボタン軸１１３ｂ→接点部１３２ｂ，１３２ｃ→回路基板１３３の導電パターン→ＣＰＵ１３３ａの経路１８１ｂを流れる電流は減少して、静電気による内蔵ＬＳＩ（例えば、ＣＰＵ１３３ａや受信&デコード回路ＩＣ１３３ｂ等）の破壊が防止される。
【００５６】
しかも、本発明によれば、図１８〜図２３に示される従来品１における導通部材４４０や図２４〜図２７に示される従来品２における導通部材５３０のような部品を、環状中枠１２０とは別に用意する必要がないため、同一のムーブメントを別のケースに収容して新たな腕時計製品を開発する場合であっても、その都度に製作し直すものは中枠のみで済むため、設計工数並びに組立工数の減少により、携帯式の電波修正時計の開発コストを低下させることができる。
【００５７】
次に、本発明に係る電波修正腕時計の第２実施例が図１２〜図１４に示されている。なお、それらの図において、図１〜図１１に示した例と同一構成部分については同符号を付すことにより、説明は省略する。
【００５８】
図１２に示されるように、この電波修正腕時計２は、ケース２１０と、中枠１２０と、ムーブメント１３０と、裏蓋２４０と、表窓１５０とを有している。
【００５９】
ケース２１０は円環状をなしており、その中心を挟んで対向する位置には、それぞれ時計バンドを固定するための上部ブラケット対２１４ａ，２１４ｂ及び下部ブラケット対２１５ａ，２１５ｂが突設されている。
【００６０】
この例にあっては、ケース２１０は所謂金属外被ケースとして構成されており、図１２〜図１４に示されるように、非導電性素材（例えば、樹脂、セラミック、ガラス等々）からなるケース芯体２１１と、ケース芯体２１１の外表面に被せられた金属製のケース外被２１２とを有する。ケース外被２１２の材質としては、ステンレス、チタン、チタン合金、銅合金、等々の金属が使用されている。
【００６１】
同様にして、裏蓋２４０についても所謂金属外被裏蓋として構成されており、図１３及び図１４に示されるように、非導電性素材（例えば、樹脂、セラミック、ガラス等々）からなる裏蓋芯体２４１と、裏蓋芯体２４１の外表面に被られた金属製の裏蓋外被２４２とを有する。そして、２４３は防水用のパッキングである。裏蓋外被２４１の材質としては、ステンレス、チタン、チタン合金、銅合金、等々の金属が使用されている。
【００６２】
この第２実施例のケース２１０は金属外被ケースであるから、ケース２１０の周側壁の内周面は非導電性であって、そのままでは金属製中枠１２０側のバネ性接触片１２１ｅとの導通を確保することができない。
【００６３】
そのため、ケース２１０の周側壁の内周面にあって、金属製中枠１２０側のバネ性接触片１２１ｅと対向する位置には、図１２に示されるように、２つの押しボタン部材２２０，２２０の導電部同士を連結すると共に、バネ性接触片１２１ｅとの接触面を提供する金属製架橋板２１３が設けられている。
【００６４】
さらに、押しボタン部材２２０側においても、押しボタン２２０ａと金属製架橋板２１３との導通を確保するために、図１３に示されるように、金属製の段付スリーブ２２０ｉが新たに設けられている。すなわち、図１３に示されるように、この押しボタン部材２２０は、押しボタン２２０ａと、押しボタンと一体に出没するボタン軸部２２０ｂと、ボタン軸部の突出動作を規制するＥリング２２０ｃと、ボタン軸部の外周に嵌められた防水パッキング２２０ｅ，２２０ｆと、ワッシャ２２０ｇを介して押しボタン２２０ａに対して突出方向の復帰力を付与する圧縮スプリング２２０ｄとを有する押しボタン組立体と、この押しボタン組立体を受け入れる金属製の段付スリーブ２２０ｉとを含んでいる。したがって、押しボタン２２０ａは、この金属製段付スリーブ２２０ｉを介して、前出した金属製架橋板２１３へと導通する。また、２２０ｈは防水用パッキングである。
【００６５】
その結果、この第２実施例にあっては、押しボタン２２０ａとボタン型電池１３５の電極との間には、押しボタン２２０ａ→金属製の段付スリーブ２２０ｉ→金属製架橋板２１３→バネ性接触片１２１ｅ→環状壁部１２１→内周突片部１２１ａ〜１２１ｃ→電池押え金具１３４→バネ性舌片１３４ｅ→電池の電極を順に経由する迂回放電経路１８１が形成される。
【００６６】
したがって、静電気に帯電した指１８０によって押しボタン２２０ａに触れたとしても、指１８０の帯電電荷は、主として、上記の迂回経路１８１を通ってボタン型電池１３５へと流れるから、押しボタン２２０ａ→ボタン軸２２０ｂ→接点部１３２ｂ，１３２ｃ→回路基板１３３の導電パターン→ＣＰＵ１３３ａの経路１８１ｂを流れる電流は減少して、静電気による内蔵ＬＳＩ（例えば、ＣＰＵ１３３ａや受信&デコード回路ＩＣ１３３ｂ等）の破壊が防止される。
【００６７】
しかも、この第２実施例にあっても、図１８〜図２３に示される従来品１における導通部材４４０や図２４〜図２７に示される従来品２における導通部材５３０のような部品を、環状中枠１２０とは別に用意する必要がないため、同一のムーブメントを別のケースに収容して新たな腕時計製品を開発する場合であっても、その都度に製作し直すものは中枠のみで済むため、設計工数並びに組立工数の減少により、携帯式の電波修正時計の開発コストを低下させることができる。
【００６８】
なお、以上の実施例にあっては、本発明を電波修正腕時計に適用したが、本発明の適用はこれに限定されるものではなく、電波修正懐中時計等々の他の形式の携帯式電波修正時計に広く適用が可能である。
【産業上の利用可能性】
【００６９】
本発明によれば、内蔵ＬＳＩ破壊防止のための静電気対策を施すために、ボタン型電池の電極と押しボタン等との間を導通させるに際して、導通部材を別途不要として、携帯式の電波修正時計の開発コストを低減させることができる。
【図面の簡単な説明】
【００７０】
【図１】針式電波修正腕時計におけるケースと中枠とムーブメントとの関係を示す説明図である（実施例１）。
【図２】図１のII−II線断面図である（実施例１）。
【図３】図１のIII−III線断面図である（実施例１）。
【図４】図１のIV−IV線断面図である（実施例１）。
【図５】針式電波修正時計のケースの構造を示す説明図である（実施例１）。
【図６】針式電波修正時計の金属製中枠の構造を示す説明図である（実施例１）。
【図７】図６の中枠のVII矢視図である（実施例１）。
【図８】図６のVIII−VIII線断面図である（実施例１）。
【図９】針式電波修正時計用ムーブメントの構造を示す説明図（その１）である（実施例１）。
【図１０】針式電波修正時計用ムーブメントの構造を示す説明図（その２）である（実施例１）。
【図１１】針式電波修正時計の電気的構成を示す回路図である（実施例１）。
【図１２】針式電波修正腕時計におけるケースと中枠とムーブメントとの関係を示す説明図である（実施例２）。
【図１３】図１２のXIII−XIII線断面図である（実施例２）。
【図１４】図１２のXIV−XIV線断面図である（実施例２）。
【図１５】針式クォーツ腕時計におけるケースと中枠とムーブメントとの関係を示す説明図である（従来例１）。
【図１６】デジタル式クォーツ腕時計におけるケースと中枠とムーブメントとの関係を示す図である（従来例２）。
【図１７】図１６（ｃ）のXVII−XVII線断面図である（従来例２）。
【図１８】針式電波修正時計におけるケースと中枠とムーブメントとの関係を示す説明図である（従来例３）。
【図１９】中枠の構造を平面視、正面視、右側面視、左側面視のそれぞれについて示す説明図である（従来例３）。
【図２０】図１９のXX−XX線断面図である（従来例３）。
【図２１】導通部材の構造を平面視、正面視、右側面視のそれぞれについて示す説明図である（従来例３）。
【図２２】図１８のXXII−XXII線断面図である（従来例３）。
【図２３】図１８のXXIII−XXIII線断面図である（従来例３）。
【図２４】針式電波修正時計におけるケースと中枠とムーブメントとの関係を示す説明図である（従来例４）。
【図２５】図２４のXXV−XXV線断面図である（従来例４）。
【図２６】図２４のXXVI−XXVI線断面図である（従来例４）。
【図２７】導通部材の構造を正面視、左側面視、XXVII矢視のそれぞれについて示す説明図である（従来例４）。
【符号の説明】
【００７１】
１，２，４，５            針式電波修正腕時計
３                        デジタル式クォーツ腕時計
１０                      針式クォーツ腕時計用ムーブメント
１１                      ムーブメント本体
１２                      ボタン型電池
１３                      竜頭軸
１４                      竜頭摘み
２０Ａ，２０Ｂ            金属製ケース
３０Ａ，３０Ｂ            樹脂製中枠
４０                      デジタル式クォーツ腕時計用ムーブメント
４１                      ボタン型電池
４２                      電池押え金具
４２ａ                    切り起し片
４２ｂ                    折曲片
４２ｃ                    係合孔
４３                      接点部
４３ａ                    固定接触片
４３ｂ                    可動接触片
４４                      係止片
４５                      第１ホルダ
４５ａ                    係止突部
４６                      第２ホルダ
４７                      液晶表示デバイス
４８                      導通部材
５０Ａ，５０Ｂ            ケース
５１Ａ，５１Ｂ            押しボタン
６０Ａ，６０Ｂ            樹脂製中枠
１１０，４１０            金属製ケース
２１０，５１０            金属外被ケース
１１１ａ，１１１ｂ，２１４ａ，２１４ｂ        対をなす上部ブラケット
１１２ａ，１１２ｂ，２１５ａ，２１５ｂ        対をなす下部ブラケット
１１３，２２０，４１３，５２０                押ボタン部材
１１３ａ，２２０ａ，４１３ａ，５２０ａ        押ボタン
１１３ｂ，２２０ｂ，４１３ｂ，５２０ｂ        ボタン軸部
１１３ｃ，２２０ｃ，４１３ｅ，５２０ｅ        Ｅリング
１１３ｄ，２２０ｄ，４１３ｃ，５２０ｃ        圧縮スプリング
１１３ｅ，１４３，１４４，１５２，２２０ｅ，２２０ｆ，２２０ｈ，２４３，４１３ｆ，４５３，４５４，４６２，５２０ｆ                  パッキング
１１３ｆ，２２０ｇ，４１３ｄ，５２０ｄ        ワッシャ
１２１ｄ                  位置決め凹部
１１５                    環状段部
１２０                    金属製中枠
１２１                    環状壁部
１２１ａ〜１２１ｃ        突片部
１２１ｅ                  バネ性接触片
１２２                    鍔部
１２３ａ〜１２３ｃ        外方膨出部
１２４ａ〜１２４ｃ        上端突部
１２５ａ〜１２５ｃ        中抜き孔
１２６ａ，１２６ｂ        ボタン挿通用開口
１３０                    針式電波時計用ムーブメント
１３１                    第１ホルダ
１３１ａ                  第１ホルダの底板
１３１ｂ                  モータユニット露出窓
１３１ｃ                  アンテナ露出窓
１３１ｄ                  位置決め突部
１３２                    第２ホルダ
１３２ａ                  第２ホルダの底板
１３２ｂ                  第１の接点部
１３２ｂ−１              固定接触片
１３２ｂ−２              可動接触片
１３２ｃ                  第２の接点部
１３２ｃ−１              固定接触片
１３２ｃ−２              可動接触片
１３２ｄ                  係止突部
１３３                    回路基板
１３３ａ                  ＣＰＵ
１３３ａ−１              第１のＣＭＯＳドライバ
１３３ａ−２              第２のＣＭＯＳドライバ
１３３ｂ                  受信&デコード回路ＩＣ
１３３ｂ−１              周波数切換スイッチ
１３３ｃ                  アンテナ回路
１３３ｄ                  フィルタ用水晶
１３３ｅ                  ＣＰＵクロック用水晶
１３４                    電池押え金具
１３４ａ                  折曲片
１３４ｂ                  係止孔
１３４ｃ                  環状固定領域
１３４ｄ                  短冊状可動領域
１３４ｅ                  バネ性舌片
１３４ｆ                  円形開口
１３４ｇ                  ヒンジ部
１３４ｈ                  先端折曲片
１３５                    ボタン型電池
１３６                    棒状アンテナ
１３７ａ                  秒針軸
１３７ｂ                  分針軸
１３７ｃ                  時針軸
１３８                    モータユニットの押え板
１３８ａ                  位置決め部
１３８ｂ                  モータ
１４０，２４０，５５０    裏蓋
１４１，４５２            金属製環状裏蓋枠
１４２，４５１            裏蓋ガラス
１５０，４６０            表窓
１５１，４６１            窓ガラス
１６０                    文字盤
１７０                    針セット
１８０                    指
１８１                    迂回放電経路
１８１ａ                  他の放電経路
１８１ｂ                  回路基板を経由する放電経路
２１１，５１１            ケース芯体
２１２，５１２            ケース外被
２１３                    導電性架橋板
２２０ｉ                  段付スリーブ
２４１，５５１            裏蓋芯体
２４２，５５２            金属製裏蓋外被
３２０                    窓ガラス
３２１                    パッキング
３３０                    金属製裏蓋
３３１                    パッキング
４１１ａ，４１１ｂ，５１３ａ，５１３ｂ        対をなす上部ブラケット
４１２ａ，４１２ｂ，５１４ａ，５１４ｂ        対をなす下部ブラケット
４２０                    樹脂製中枠
４２１                    環状外壁部
４２２                    環状内壁部
４２３                    環状底板部
４２４                    位置決め突部
４２５ａ〜４２５ｃ        突片部
４２６ａ〜４２６ｃ        上端突部
４２７ａ〜４２７ｃ        開口
４２８                    位置決め凹部
４２９ａ、４２９ｂ        押しボタン部材挿通用開口
４２９ｃ                  導通部材挿通用開口
４３０                    針式電波修正時計用ムーブメント
４３１                    棒状アンテナ
４３２                    ボタン型電池
４３３                    電池押え金具
４３３ａ                  環状固定領域
４３３ｂ                  短冊状可動領域
４３３ｃ                  ヒンジ部
４３３ｄ                  バネ性舌片
４３３ｅ                  先端折曲片
４３４                    位置決め突部
４３５ａ                  固定接触片
４３５ｂ                  可動接触片
４３６                    回路基板
４４０                    導通部材
４４０ａ                  第１水平部
４４０ｂ                  垂直連結部
４４０ｃ                  第２水平部
４４０ｄ                  バネ性傾斜部
４５０                    裏蓋
４７０                    文字盤
４８０                    針セット
５３０                    導通部材
５３１                    半径方向導通部
５３１ａ                  垂直部
５３１ｂ                  水平部
５３１ｃ                  バネ性傾斜部
５３２                    弧状導電板部
Ａ１〜Ａ４                接触部
【図１】
2006215043.tif 000003
【図２】
2006215043.tif 000004
【図３】
2006215043.tif 000005
【図４】
2006215043.tif 000006
【図５】
2006215043.tif 000007
【図６】
2006215043.tif 000008
【図７】
2006215043.tif 000009
【図８】
2006215043.tif 000010
【図９】
2006215043.tif 000011
【図１０】
2006215043.tif 000012
【図１１】
2006215043.tif 000013
【図１２】
2006215043.tif 000014
【図１３】
2006215043.tif 000015
【図１４】
2006215043.tif 000016
【図１５】
2006215043.tif 000017
【図１６】
2006215043.tif 000018
【図１７】
2006215043.tif 000019
【図１８】
2006215043.tif 000020
【図１９】
2006215043.tif 000021
【図２０】
2006215043.tif 000022
【図２１】
2006215043.tif 000023
【図２２】
2006215043.tif 000024
【図２３】
2006215043.tif 000025
【図２４】
2006215043.tif 000026
【図２５】
2006215043.tif 000027
【図２６】
2006215043.tif 000028
【図２７】
2006215043.tif 000029